(57)【特許請求の範囲】
【請求項１】
構造物等に取り付けられる下部板と、
一端が前記下部板の一端に回動自在に結合された上部板と、
前記下部板と前記上部板との間に設けられ、前記下部板と前記上部板との間の角度を調整する角度調整部であって、長ナットと、該長ナットにねじ付けられる長ボルトとを有し、前記長ナットは、その一端に球体を含む回動軸に取り付けられて前記球体を介して前記下部板に回動自在に軸支され、前記長ボルトは前記上部板に係合する角度調整部とを有するささら桁が、各ステップに少なくとも１つを含むことを特徴とする階段。
【請求項２】
請求項１に記載の階段において、
前記ささら桁は略同一高さに設置された一対からなり、該一対の上部板に踏み板を設けて１つのステップが構成されていることを特徴とする階段。
【請求項３】
請求項１に記載の階段において、
前記上部板は、その一端が前記下部板の一端に蝶番構造によって結合されていることを特徴とする階段。
【請求項４】
請求項１に記載の階段において、
前記長ボルトはＴボルトであり、前記Ｔボルトの水平部が内嵌する溝を有した取付具によって回動自在に前記上部板に軸支されていることを特徴とする階段。
【発明の詳細な説明】
【技術分野】
【０００１】
本発明は、構造物に設置する階段に関する。
【背景技術】
【０００２】
例えば、建築現場などのように作業場所が高所にあり、且つ、該作業場所へ通じる階段や足場等が未だ設けられていないような現場などでは、一般に梯子を使って人や物の移動が行われる。しかし、梯子は手軽に利用できる便利さはあるものの、立て掛けるだけの不安定な設置であるため、安全性に問題がある。
【０００３】
そのため、例えば、特許文献１に示される様に、取り付けが容易で安全性を確保可能な組み立て式の階段が提案されている。この構成について図１２を参照して説明する。この階段１００は、け込み板１０１と踏み板１０２とをＬ字形に一体化して階段部材１０３とし、この階段部材１０３を側桁１０４に取り付けた構成になっている。踏み板１０２の両側には、外側板１０５と該外側板１０５に設けられた係合溝１０６Ａ，１０６Ｂとを有する取付部材１０７が設けられ、側桁１０４に設けられたスタッドボルト１０８Ａ，１０８Ｂが係合溝１０６Ａ，１０６Ｂに係合することにより、階段部材１０３が側桁１０４に固定される。
【０００４】
また、特許文献２に示される様な仮設階段も提案されている。この構成について図１３を参照して説明する。この仮設階段２００は、所定間隔で下段床２０１に立設されると共にそれぞれの上端に吊りピース２１０を有した支柱２０２Ａ，２０２Ｂと、支柱２０２Ａ，２０２Ｂの上端と下段床２０１との間に斜めに取り付けられた斜め材２０３Ａ，２０３Ｂと、斜め材２０３Ａ，２０３Ｂの下部と支柱２０２Ａ，２０２Ｂの下部との間に設けられた補強材２０４と、斜め材２０３Ａ，２０３Ｂに所定の段差を有するようにして取り付けられた複数の踏み板２０５と、支柱２０２Ａ，２０２Ｂの上端間に設けられた円柱状の掛止バー２０６と、下段床２０１より高い位置にある上段床２０７と掛止バー２０６との間に掛け渡される渡り板２０８と、渡り板２０８に設けられて掛止バー２０６に係着されるフック２０９とを有している。この仮設階段２００は、図示しないクレーンのフックを吊ピース２１０に引っ掛けて吊り上げて所定の場所まで移動させることにより、解体することなく移動することができる。
【先行技術文献】
【特許文献】
【０００５】
【特許文献１】実開平５−２４７６３公報
【特許文献２】特開平１０−３０６５７６公報
【発明の概要】
【発明が解決しようとする課題】
【０００６】
しかし、特許文献１に示すような従来の階段によると、階段部材１０３を固定するための側桁１０４が必要になると共に、階段の傾斜角が固定されるという問題がある。また、特許文献２に示すような従来の仮設階段によると、ステップ数や階段の傾斜角を変えることができないという問題がある。例えば、傾斜角度が途中で変化するような場所に設置する場合にはいずれかの傾斜角度に合わせて設置するか、傾斜角度の変化に合わせた専用の階段を設計して設置する必要があり、現場で簡単に設置するということができない。
また、仮設の階段の場合には簡単に取り外せるようなものであることが好ましい。
【０００７】
従って、本発明の目的は、踏み板と取付面との間の角度を予め固定しないことで、ステップ数及び階段の傾斜角を任意に設定することが可能でしかも現場で簡単に設置することが可能な階段を提供することにある。
【課題を解決するための手段】
【０００８】
上記目的を達成するため、請求項１に記載の本発明は、構造物等に取り付けられる下部板と、一端が前記下部板の一端に回動自在に結合された上部板と、前記下部板と前記上部板との間に設けられ、前記下部板と前記上部板との間の角度を調整する角度調整部であって、長ナットと、該長ナットにねじ付けられる長ボルトとを有し、前記長ナットは、その一端に球体を含む回動軸に取り付けられて前記球体を介して前記下部板に回動自在に軸支され、前記長ボルトは前記上部板に係合する角度調整部とを有するささら桁が、各ステップに少なくとも１つを含むことを特徴とする階段を提供する。
【０００９】
上記目的を達成するため、請求項２に記載の本発明は、請求項１に記載の階段において、前記ささら桁は略同一高さに設置された一対からなり、該一対の上部板に踏み板を設けて１つのステップが構成されていることを特徴とする。
【００１０】
上記目的を達成するため、請求項３に記載の本発明は、請求項１に記載の階段において、前記上部板は、その一端が前記下部板の一端に蝶番構造によって結合されていることを特徴とする。
【００１２】
上記目的を達成するため、請求項４に記載の本発明は、請求項１に記載の階段において、前記長ボルトはＴボルトであり、前記Ｔボルトの水平部が内嵌する溝を有した取付具によって回動自在に前記上部板に軸支されていることを特徴とする。
【発明の効果】
【００１４】
本発明の階段によれば、ステップ数及び階段の傾斜角を任意に設定することを可能としたので特別な設計などを必要とせず現場で簡単に設置することができるという効果がある。
また、傾斜角度が途中で変化するような特殊な傾斜面であってもその傾斜面に即した階段を簡単に設置することができるという効果がある。
【図面の簡単な説明】
【００１５】
【図１】本発明の第１の実施の形態に係る階段の斜視図である。
【図２】図１のささら桁を示す側面図である。
【図３】図１の角度調整部を示す分解斜視図である。
【図４】Ｔボルト取付具の構成を示し、（ａ）は側面図、（ｂ）は平面図である。
【図５】回動軸取付具の構成を示し、（ａ）は平面図、（ｂ）は側面図である。
【図６】本発明の実施の形態に係る階段の下部板の詳細を示し、（ａ）は平面図、（ｂ）は側面図である。
【図７】本発明の実施の形態に係る階段の上部板の詳細を示し、（ａ）は側面図、（ｂ）は（ａ）の上部板の軸部を拡大した平面図、（ｃ）は（ａ）の裏面図である。
【図８】下部板の傾斜角が小さい場合のささら桁を示す側面図である。
【図９】ステップ数を複数にした階段を示す斜視図である。
【図１０】本発明の第２の実施の形態に係る階段の斜視図である。
【図１１】本発明の第３の実施の形態に係る階段の斜視図である。
【図１２】従来の階段の構成の一例を示す断面図である。
【図１３】従来の仮設階段の一例を示す斜視図である。
【発明を実施するための形態】
【００１６】
［第１の実施の形態］
図１は、本発明の第１の実施の形態に係る階段の斜視図、図２は、図１のささら桁の側面図である。なお、図１においては、構成を分かり易くするため、踏み板を傾斜させた状態で図示している。更に、図３は、角度調整部の構成を示す斜視図、図４は、Ｔボルト取付具の構成を示し、（ａ）は側面図、（ｂ）は平面図、図５は、回動軸取付具の構成を示し、（ａ）は平面図、（ｂ）は側面図である。
【００１７】
（階段の構成）
階段１は、図１に示す様に、同じ高さ位置に配設された一対のささら桁１０（図１においては、正面から見た右側のみを示す）と、一対のささら桁１０の上面に取り付けられた踏み板２０とを有している。なお、踏み板２０は、人が載る上面に滑り止めの凹凸等を設けるのが望ましい。
【００１８】
ささら桁１０は、傾斜を付けて配置された構造物６にねじ止め等により取り付けられる下部板２と、この下部板２に蝶番部３によって開閉自在に結合された上部板４と、下部板２と上部板４との間の角度を設定する角度調整部５とを有している。構造物６は、例えば、補強材、筋かい、新たに階段用に設けた建築材、段差の有る床面等であり、木材、金属、コンクリート等、材種を問わない。なお、ささら桁１０は、例えば構造物９の傾斜角が１０〜６０°に対応できる様に構成されている。
【００１９】
（角度調整部の構成）
角度調整部５は、図３に示す様に、中心部に雌ねじ５２が設けられると共に下部に穴５３が設けられた円筒状の長ナット５１と、この長ナット５１にねじ込まれるＴボルト５４（長ボルト）と、Ｔボルト５４にねじ止めされてＴボルト５４をロックするロックナット５５と、Ｔボルト５４の上部を上部板４の下面に回動自在に取り付けられるＴボルト取付具５６と、Ｔボルト５４の下端に取り付けられる回動軸５７と、回動軸５７を回動自在に支持させて下部板２の取付面に取り付けられる回動軸取付具５８とを有している。ここで、回動軸５７と回動軸取付具５８とにより、軸部６０が構成されている。
【００２０】
図３及び図４に示すように、Ｔボルト取付具５６は、Ｔボルト５４の水平部５４１を支持する半円状断面の長溝５６１と、Ｔボルト取付具５６を上部板４にねじ止め固定するための雌ねじ穴５６２Ａ，５６２Ｂと、Ｔボルト５４が貫通及び回動できるように長溝５６１の中央部に設けられた長穴５６３とを有している。Ｔボルト５４は、構造物６の所定範囲の傾斜角（即ち、下部板２の取り付け角度）に対して上部板４を水平位置にすることが可能な長さ以上を有している。
【００２１】
回動軸５７は、長ナット５１の下端に嵌入される軸用球体５７１と、該軸用球体５７１の軸を成すと共に長ナット５１に設けられている穴５３に重なるねじ穴５７２を有して長ナット５１に挿入される軸５７３とを有している。
【００２２】
回動軸取付具５８は全体が楕円形を成し、中心部には回動軸５７の軸用球体５７１を回動自在に収容する中空部５８０と、回動軸５７の軸５７３が貫通する開口５８１と、回動軸取付具５８を下部板２に固定するボルト（図示せず）のための雌ねじ穴５８２Ａ，５８２Ｂが設けられている。
【００２３】
（下部板の構成）
図６は下部板の詳細を示し、（ａ）は平面図、（ｂ）は側面図である。下部板２は、例えば短冊状の金属板であり、その一端には一対の半円状の把持部２１Ａ，２１Ｂが設けられ、更に、両側には、上方へ突出する折り曲げ部２２が設けられている。また、回動軸取付具５８を固定するための穴２３Ａ，２３Ｂ及び木ねじ等により構造物６に固定するための穴２４，２５が設けられている。
【００２４】
（上部板の構成）
図７は上部板の詳細を示し、（ａ）は側面図、（ｂ）は（ａ）の上部板のＢ部分をＣ方向から見た拡大図、（ｃ）は（ａ）の裏面図である。上部板４は、図７の（ａ），（ｃ）に示すように、全体が平面方向から見て短冊状で側面方向から見て略Ｊ字形を成した金属板であり、踏み板２０が図１に示すように取り付けられる水平部４０と、その端部に形成された傾斜部４１とからなり、それぞれの両側には下方に突出する折り曲げ部４２が形成されている。また、傾斜部４１の端部には、下部板２に設けられた把持部２１Ａ，２１Ｂの間に介在されるようにして軸支部４３が形成されており、この軸支部４３には軸４４が嵌入されている。この軸支部４３及び軸４４と下部板２の把持部２１Ａ，２１Ｂとによって蝶番部３が構成されており、これにより下部板２と上部板４とが開閉可能になっている。
【００２５】
更に、上部板４の水平部４０の略中央には、Ｔボルト取付具５６に合致する外形を有した取付具装着部４５が水平部４０の下面より膨出する様に設けられ、また、踏み板２０をボルト等により固定するための穴４６，４７が取付具装着部４５の長手方向の両側に設けられている。
【００２６】
取付具装着部４５は、Ｔボルト取付具５６と同サイズの膨出部４５１と、Ｔボルト取付具５６の長溝５６１に合致する半円状断面を有して膨出部４５１に設けられた長溝４５２と、雌ねじ穴５６２Ａ，５６２Ｂに合致させて設けられたねじ穴４５３Ａ，４５３Ｂとを有している。
【００２７】
（角度調整部の組み立て方法）
角度調整部５は、まず、長穴５６３を通してボルト取付具５６にＴボルト５４の雄ねじ部５４２を挿入する。ついで、Ｔボルト５４の雄ねじ部５４２にロックナット５５をねじ込む。これにより、ボルト取付具５６は、ロックナット５５とＴボルト５４の水平部５４１との間に介在した状態になる。
【００２８】
次に、作業者は、回動軸取付具５８の開口５８１に下側から回動軸５７の軸５７３を通し、更に、軸５７３を長ナット５１の下端に挿入すると共に、穴５３にねじ穴５７２を合致させる。この状態で図示しないビスを穴５３に通し、ねじ穴５７２にねじ込んで回動軸５７を長ナット５１に固定する。次に、Ｔボルト５４の雄ねじ部５４２の下端を長ナット５１の上端に適当量をねじ込む。以上により角度調整部５が完成する。
【００２９】
（ささら桁の組み立て方法）
まず、作業者は、下部板２と上部板４とを蝶番部３によって開閉（回動）自在に結合する。次に、作業者は、下部板２と上部板４との間に角度調整部５を図２のように取り付ける。角度調整部５の取り付けは、回動軸取付具５８を図示しないボルトによって下部板２に取り付けた後、Ｔボルト取付具５６を上部板４の取付具装着部４５に図示しないボルトによって取り付ける。以上により、ささら桁１０が完成する。この様なささら桁１０は、「ステップ数×２」個が作製される。なお、Ｔボルト取付具５６を先に取り付け、回動軸取付具５８を後で取り付けてもよい。
【００３０】
（階段の施工方法）
次に、作業者は、図１に示すように、１つ目のささら桁１０の下部板２を、例えば５０°の傾斜を有する構造物６に位置決めする。構造物６が木製である場合、下部板２の穴２４，２５に木ねじをねじ込み、ささら桁１０を構造物６に固定する。次に、ロックナット５５をＴボルト取付具５６側へ移動させた後、長ナット５１を適宜回転させて上部板４が水平になるようにする。上部板４が水平になった時点でロックナット５５を長ナット５１側へ移動させ、ロックナット５５を長ナット５１に締め付ける。
【００３１】
次に、上記した様にして、踏み板２０の長さの範囲内で且つ同一高さ位置に２つ目のささら桁１０を取り付ける。その後、一対のささら桁１０のそれぞれの上部板４上に踏み板２０を載せ、穴４６，４７に図示しないボルトを通して図示しないナットにより踏み板２０を各上部板４に固定する。以上により１段（１ステップ）分の階段１が完成する。なお、階段１が図１の様な１ステップのみから成っていてもよい。
【００３２】
なお、図２に示すささら桁１０よりも下部板２の傾斜角が小さい、即ち構造物６の傾斜角が小さい場合、例えば３０°であった場合、図８に示すように、Ｔボルト５４が長ナット５１に入る部分が長くなるように調整する。
【００３３】
以上のようにして、一対の下段床７と上段床８とを必要なステップ数だけ構造物６に取り付ければ、図９に示すように、下段床７と上段床８との間に所望のステップ数（図９では３ステップ）を有した階段１が完成する。なお、構造物６は、金具１１，１２と木ねじによって下段床７及び上段床８に固定されている。
【００３４】
（第１の実施の形態の効果）
第１の実施の形態によれば、下記の効果を奏する。
（１）ささら桁１０を下部板２と上部板４とを蝶番部３で結合して構成し、両者間の角度を角度調整部５により可変できるようしたため、どのような傾斜角を有する構造物６に取り付けた場合でも踏み板２０を水平に保つことができると共に、ステップ間の高さを自由に設定することができる。
（２）１ステップ単位で階段１の長さを調整できるため、所望の階段長を得ることができる。
（３）ささら桁１０を現場で構造物６に組み付けるだけで済むため、工事図面等を用意することなく階段１を設置することができる。
（４）階段１を必要としなくなったときには、ささら桁１０毎に取り外しができるため、従来のように重機等を必要とせず、短時間で簡単に撤去することができる。
【００３５】
［第２の実施の形態］
図１０は、本発明の第２の実施の形態に係る階段の斜視図である。本実施の形態は、図１に示す第１の実施の形態において、下部板２及び上部板４の幅を大きくして踏み板２０を設けない構成にしたものであり、その他の構成は第１の実施の形態と同様である。なお、階段１は、ささら桁１０のみによる構成になるため、必要に応じて荷重が加わる部材の強度を高める設計が必要である。
【００３６】
（第２の実施の形態の効果）
第２の実施の形態によれば、階段１を設けるに際して横方向のスペースが確保できない場合でも、階段１を設けることができる。その他の効果は、第１の実施の形態と同様である。
【００３７】
［第３の実施の形態］
図１１は、本発明の第３の実施の形態に係る階段の側面図である。本実施の形態は、図９において、構造物６の傾斜角が高さ方向に部分的に異なる場合であり、例えば、腰折れ小屋組みの屋根の垂木等の構造物９Ａ，９Ｂが図１１の様に異なる傾斜角を有する場合、構造物９Ａ，９Ｂ毎にささら桁１０を設置して階段１としたものであり、その他の構成は第１の実施の形態と同様である。
【００３８】
（第３の実施の形態の効果）
第３の実施の形態によれば、設置したい階段１の長さ範囲内に下部板２の取付面の角度が異なる部分が生じていても、どのささら桁１０においても上部板４が水平になるように取り付けることができるため、設置場所を限定されることがない。
【００３９】
［他の実施の形態］
なお、本発明は、上記実施の形態に限定されず、本発明の技術思想を逸脱あるいは変更しない範囲内で種々な変形が可能である。例えば、角度調整部５は、図３の構成において上下を逆にした配置であってもよい。
【００４０】
また、上記実施の形態においては、角度調整部５を長ナット５１とＴボルト５４との結合度合いを調整して下部板２と上部板４との間の角度を調整するものとしたが、本発明はこの様な構造に限定されるものではなく、他の構造、例えば、パンタグラフ構造、予め様々な長さにして用意した棒状体や三角板を適宜選択する構造、一定の長さの棒状体の一端を固定し他端の取付位置を自由に設定できるようにして上部板４の水平出しを行えるようにしてもよい。
【００４１】
また、上記実施の形態において、Ｔボルト５４は、上端を環状にした長ねじであってもよい。この場合、ボルト取付具５６に代えて棒状の軸を上部板４側に設ける。
【００４２】
また、上記実施の形態においては、構造物６が傾斜を有するものとしたが、角度調整部５を十分に長くすれば、下部板２の取付面が壁面のような垂直な面であってもよい。
【符号の説明】
【００４３】
１        階段
２        下部板
３        蝶番部
４        上部板
５        角度調整部
６        構造物
７        下段床
８        上段床
９Ａ      構造物
９Ｂ      構造物
１０      ささら桁
２０      踏み板
２１Ａ    把持部
２１Ｂ    把持部
２２      折り曲げ部
２３Ａ    穴
２３Ｂ    穴
２４      穴
２５      穴
４０      水平部
４１      傾斜部
４２      折り曲げ部
４３      軸支部
４４      軸
４５      取付具装着部
４６      穴
４７      穴
５１      長ナット
５２      雌ねじ
５３      穴
５４      Ｔボルト
５５      ロックナット
５６      ボルト取付具
５７      回動軸
５８      回動軸取付具
５９      軸用球体
６０      軸部
４５１    膨出部
４５２    長溝
４５３Ａ  ねじ穴
４５３Ｂ  ねじ穴
５４１    水平部
５４２    雄ねじ部
５６１    長溝
５６２Ａ  雌ねじ穴
５６２Ｂ  雌ねじ穴
５６３    長穴
５７１    軸用球体
５７２    雄ねじ
５７３    軸
５８０    中空部
５８１    開口
５８２Ａ  雌ねじ
５８２Ｂ  雌ねじ
【図１】
0005441210.tif 000002
【図２】
0005441210.tif 000003
【図３】
0005441210.tif 000004
【図４】
0005441210.tif 000005
【図５】
0005441210.tif 000006
【図６】
0005441210.tif 000007
【図７】
0005441210.tif 000008
【図８】
0005441210.tif 000009
【図９】
0005441210.tif 000010
【図１０】
0005441210.tif 000011
【図１１】
0005441210.tif 000012
【図１２】
0005441210.tif 000013
【図１３】
0005441210.tif 000014